(57)【要約】【課題】本発明は、通気性が高く、その上、断熱性が高い屋根パネルおよび屋根断熱構造を提供することを課題とする。【解決手段】野地面材２の下面に複数条の通気路４と垂木嵌合溝５，５ａを貫設したプラスチック発泡体からなる断熱材３の複数枚を接着し、該断熱材３を連続させた屋根パネル１を、屋根骨格の垂木６上に被着し、該垂木６を該屋根パネル１の断熱材３の垂木嵌合溝５，５ａに嵌合し、軒先と棟部とにおいて該断熱材３の通気路４を外気に開放するとともに、該屋根パネル１相互の接続部において該断熱材３を連続させた屋根断熱構造を提供する。【選択図】    図４
2006233594.tif 000002
【特許請求の範囲】
【請求項１】
野地面材の下面に複数条の通気路と垂木嵌合溝を貫設したプラスチック発泡体からなる断熱材の複数枚を接着し、該断熱材を連続させたことを特徴とする屋根パネル。
【請求項２】
該通気路は該断熱材の上面に貫設され、該垂木嵌合溝は該断熱材の下面に貫設される請求項１に記載の屋根パネル。
【請求項３】
請求項１または請求項２に記載の屋根パネルを屋根骨格の垂木上に被着し、該垂木を該屋根パネルの断熱材の垂木嵌合溝に嵌合し、軒先と棟部とにおいて該断熱材の通気路を外気に開放するとともに、該屋根パネル相互の接続部において該断熱材を連続させたことを特徴とする屋根断熱構造。
【請求項４】
構築される屋根に寄棟部または本谷部が存在する場合、この部分で左右の屋根パネルの断熱材をそれぞれ切除し、該左右の屋根パネルの断熱材を断熱部材を介して連続させるとともに、該断熱部材の下面を左右の垂木間に介在する隅木または谷木の上面に当接させ、更に、該断熱材の通気路と断熱部材の通気路とを連通させた請求項３に記載の屋根断熱構造。
【請求項５】
少なくとも該屋根パネル相互の接続部において、該屋根パネルの断熱材と垂木との接合面にはシール材が介在している請求項３または請求項４に記載の屋根断熱構造。
【請求項６】
該垂木上に被着された屋根パネルの断熱材の下面は軒先部において壁断熱材の上端に当接させ、該断熱材の下面と該壁断熱材の上端との間に形成される隙間にはシール材を充填し、棟部にあっては左右の屋根パネルの隙間には該屋根パネルの断熱材の通気路を閉塞しないようにしてシール材を充填した請求項４または請求項５に記載の屋根断熱構造。
【請求項７】
該シール材は軟質プラスチック発泡体からなる断熱性シール材である請求項６に記載の屋根断熱構造。
【発明の詳細な説明】
【技術分野】
【０００１】
本発明は屋根パネルおよび該屋根パネルを使用した屋根断熱構造に関する。
【背景技術】
【０００２】
従来、通気性の高い屋根構造として、野地面材の下面に複数条の通気路を貫設したプラスチック発泡体からなる断熱材の複数枚を垂木嵌合溝を介して接着した屋根パネルを、屋根骨格の垂木上に被着し、該垂木を該屋根パネルの断熱材の垂木嵌合溝に嵌合し、軒先と棟部において該屋根パネルの断熱材の通気路を外気に開放した通気性屋根下地構造が一般に提供されている（特許文献１参照）。
【０００３】
【特許文献１】特開２００４−１１６１９１号公報（第３−５頁、第５図）
【発明の開示】
【発明が解決しようとする課題】
【０００４】
しかしながら上記従来の構成では、屋根構造の通気性は非常に高いものの、屋根パネルの断熱材が不連続であるため、屋根構造の断熱性が若干低下してしまうという問題があった。
【課題を解決するための手段】
【０００５】
本発明は上記従来の課題を解決するための手段として、野地面材２の下面に複数条の通気路４と垂木嵌合溝５，５ａを貫設したプラスチック発泡体からなる断熱材３の複数枚を接着し、該断熱材３を連続させた屋根パネル１を提供するものである。
該通気路４は該断熱材３の上面に貫設され、該垂木嵌合溝５，５ａは該断熱材３の下面に貫設されることが望ましい。
また本発明では、上記の屋根パネル１を屋根骨格の垂木６上に被着し、該垂木６を該屋根パネル１の断熱材３の垂木嵌合溝５，５ａに嵌合し、軒先と棟部とにおいて該断熱材３の通気路４を外気に開放するとともに、該屋根パネル１相互の接続部において該断熱材３を連続させた屋根断熱構造が提供される。
そして、構築される屋根１９に寄棟部１９Ａまたは本谷部１９Ｂが存在する場合、この部分で左右の屋根パネル１の断熱材３をそれぞれ切除し、該左右の屋根パネル１の断熱材３を断熱部材２０Ａ，２０Ｂを介して連続させるとともに、該断熱部材２０Ａ，２０Ｂの下面を左右の垂木６間に介在する隅木２１または谷木２４の上面に当接させ、更に、該断熱材３の通気路４と断熱部材２０Ａ，２０Ｂの通気路２３Ａ，２３Ｂとを連通させたことが望ましい。
また、少なくとも該屋根パネル１相互の接続部において、該屋根パネル１の断熱材３と垂木６との接合面にはシール材７が介在していることが望ましい。
更に、該垂木６上に被着された屋根パネル１の断熱材３の下面は軒先部において壁断熱材９の上端に当接させ、該断熱材３の下面と該壁断熱材９の上端との間に形成される隙間にはシール材１０ａを充填し、棟部にあっては左右の屋根パネル１の隙間には該屋根パネル１の断熱材３の通気路４を閉塞しないようにして１０ｂを充填したことが望ましい。
また更に、該シール材１０ａ，１０ｂは軟質プラスチック発泡体からなる断熱性シール材であることが望ましい。
【発明の効果】
【０００６】
本発明の屋根パネル１を使用した屋根断熱構造では、屋根パネル１の断熱材３が連続しており、断熱材３が不連続となる箇所がないため、屋根構造の断熱性が大幅に向上する。その上、該断熱材３には通気路４が設けられており、該通気路４が軒先と棟部において外気に開放されているので、屋根１９の厚さを厚くすることなく屋根１９の通気性が確保される。
【発明を実施するための最良の形態】
【０００７】
本発明を図１〜図１５に示す一実施例によって説明する。
図１および図２に示すように、屋根パネル１は、野地面材２と、該野地面材２の下面に接着剤によって接着されている断熱材３とからなる。本実施例では、該断熱材３の材料として、ポリスチレン発泡体、ポリエチレン発泡体、ポリプロピレン発泡体、半硬質ポリウレタン発泡体、フェノール樹脂発泡体、メラミン樹脂発泡体等のプラスチック発泡体が用いられている。
【０００８】
該断熱材３の上面には６条の通気路４が貫設されており、該断熱材３の下面には中央部および両端部において垂木嵌合溝５，５ａが貫設されている。ここで、該両端部の垂木嵌合溝５ａの幅は、該中央部の垂木嵌合溝５の幅の１／２に設定されている。また、該通気路４の間隔は、該中央部の垂木嵌合溝５を形成する余地を考慮して、中央部において広く設定されている。
なお、該断熱材３の通気路４と垂木嵌合溝５，５ａは、該断熱材３の成形時に一体的に形成してもよく、該断熱材３の成形後に切削加工等によって形成してもよい。
【０００９】
このようにして、図２に示す屋根パネル１が作成されるが、それ以外、屋根パネル１は、図３に示すように、上記の断熱材３を中央で半分に切断した形状の分割断熱材３ａを二つ使用して、野地面材２の下面において二つの分割断熱材３ａを相互に接合して作成してもよい。
【００１０】
そして、図４に示すように、該屋根パネル１を屋根骨格の垂木６上に被着して、該垂木６を屋根パネル１の断熱材３の垂木嵌合溝５に嵌合する。このとき、該屋根パネル１の横方向の相互接続部においては、該断熱材３を連続させて断熱構造の連続性が断たれるのを防止するとともに、該断熱材３と該垂木６との間にシール材７を介在させて水密性を確保している。
【００１１】
図５に示すように、該垂木６は下側において軒桁８ａ、母屋８ｂ、棟木８ｃによって支持されている。そして、軒先部においては、該屋根パネル１の断熱材３の通気路４の軒先側端は、外気に開放されている。
また、該断熱材３の下面は壁断熱材９の上端と当接しており、該屋根パネル１の断熱材３の下面と該壁断熱材９の上端との間に形成されている隙間には、軟質ポリウレタン発泡体、軟質ポリ塩化ビニル発泡体、合成ゴムスポンジ等の軟質プラスチック発泡体からなる断熱性シール材１０ａが充填されている。こうして、屋根パネル１の断熱材３と壁断熱材９との接合部において、断熱構造の連続性が断たれるのを防止している。
更に、棟部においても、左右の屋根パネル１の接合部の隙間には、上記と同様の断熱性シール材１０ｂが充填されており、断熱構造の連続性が断たれるのを防止している。しかし、この場合には、該断熱性シール材１０ａ，１０ｂは該屋根パネル１の通気路４を閉塞しないようにされており、棟に沿って左右の屋根パネル１の間に形成される横通気路１１に、該屋根パネル１の各通気路４の棟側端が開放されるようにされている。
【００１２】
該屋根パネル１の野地面材２の上面には、屋根材１２が葺設されている。そして、棟部においては、笠木１３を介して水切り板１４が被覆されており、該水切り板１４と屋根材１２との間にはシール材１５が充填されている。図６に示すように、棟部の所定箇所には、棟換気部材１６が被着されており、屋根１９の横通気路１１が該棟換気部材１６を介して外気に開放されるようにされている。
図７に示すように、該棟換気部材１６は、笠形の水切り板１７と、該水切り板１７の下面両側に接着される通気性ブロック１８とからなり、該通気性ブロック１８には、例えばハニカム状に多数の連通孔が設けられている。なお、本実施例では、該棟換気部材１６の材料として、ポリプロピレン、ポリ塩化ビニル等のプラスチックが使用されている。
【００１３】
上記の屋根１９においては、軒先側の換気は、屋根パネル１の通気路４の軒先側端が直接外気に開放していることによって行われ、一方、棟側の換気は、屋根パネル１の通気路４が横通気路１１に開放され、該横通気路１１が該棟換気部材１６を介して外気に開放されることによって行われる。
【００１４】
ところで、屋根１９には、図８に示すように、両端が内側に傾斜している寄棟部１９Ａが形成されている場合がある。この場合には、図９に示す寄棟部用の断熱部材２０Ａを使用する。
図９に示すように、該寄棟部用の断熱部材２０Ａの下面の形状は、隅木２１の上面の形状に沿った形状とされており、該断熱部材２０Ａの下面は該隅木２１の上面に全面的に当接するようにされている。また、該寄棟部用の断熱部材２０Ａの上面には、野地面材２の端部を支持するための三個の支持ブロック２２Ａが突設されているとともに、図１０において矢印で示すように屋根パネル１の断熱材３の通気路４と連通する通気路２３Ａが設けられている。
【００１５】
そして、寄棟部１９Ａの屋根構造を構築する場合には、図１０および図１１に示すように、寄棟部１９Ａにおいて左右の屋根パネル１の断熱材３の寄棟側端部を切除し、その間に該寄棟部用の断熱部材２０Ａを載置した隅木２１が嵌合された状態とする。
このとき、該左右の屋根パネル１の断熱材３の寄棟側端部は該断熱部材２０Ａの両側面にそれぞれ当接し、該左右の屋根パネル１の断熱材３が該寄棟部用の断熱部材２０Ａを介して連続した状態となる。
また、屋根パネル１の断熱材３の通気路４の下端位置と寄棟部用の断熱部材２０Ａの通気路２３Ａの下端位置とは一致しており、該断熱材３の通気路４と該断熱部材２０Ａの通気路２３Ａとが連通された状態となって、図１０において矢印で示すように屋根１９の通気性が確保されている。
更に、寄棟部１９Ａにおいては、左右の屋根パネル１の野地面材２が間隙を介して相対するようにされており、寄棟部１９Ａに形成される通気路１１Ａは屋根１９の横通気路１１に開放されている。
なお、隅木２１とその両側の屋根パネル１の断熱材３の接触部下端は断熱性シール材１０Ａによってシールして、断熱性が確保されている。また、寄棟部１９Ａにおいては、笠形の水切り板１４Ａがシール材１５Ａを介して被着されている。
【００１６】
また、屋根１９には、図１２に示すように、中央から直角に屋根１９が分岐し、中央の屋根１９と分岐した屋根１９との間に本谷部１９Ｂが形成されている場合がある。この場合には、図１３に示す本谷部用の断熱部材２０Ｂを使用する。
図１３に示すように、該本谷部用の断熱部材２０Ｂの下面の形状は、谷木２４の上面の形状に沿った形状とされており、該断熱部材２０Ｂの下面は該谷木２４の上面に全面的に当接するようにされている。また、該本谷部用の断熱部材２０Ｂの上面には、野地面材２の端部を支持するための三個の支持ブロック２２Ｂが突設されているとともに、図１４において矢印で示すように屋根パネル１の断熱材３の通気路４と連通する通気路２３Ｂが設けられている。
【００１７】
そして、本谷部１９Ｂの屋根構造を構築する場合には、図１４および図１５に示すように、本谷部１９Ｂにおいて左右の屋根パネル１の断熱材３の本谷側端部を切除し、その間に該本谷部用の断熱部材２０Ｂを載置した谷木２４が嵌合された状態とする。
このとき、該左右の屋根パネル１の断熱材３の本谷側端部は該断熱部材２０Ｂの両側面にそれぞれ当接し、該左右の屋根パネル１の断熱材３が該本谷部用の断熱部材２０Ｂを介して連続した状態となる。
また、屋根パネル１の断熱材３の通気路４の下端位置と本谷部用の断熱部材２０Ｂの通気路２３Ｂの下端位置とは一致しており、該断熱材３の通気路４と該断熱部材２０Ｂの通気路２３Ｂとが連通された状態となって、図１４において矢印で示すように屋根１９の通気性が確保されている。
更に、本谷部１９Ｂにおいては、左右の屋根パネル１の野地面材２が間隙を介して相対するようにされており、本谷部１９Ｂに形成される通気路１１Ｂは外気に開放されている。
なお、谷木２４とその両側の屋根パネル１の断熱材３の接触部下端は断熱性シール材１０Ｂによってシールして、断熱性が確保されている。また、本谷部１９Ｂにおいては、逆笠形の水切り板１４Ｂがシール材１５Ｂを介して被着されている。
【００１８】
上記の屋根パネル１を使用した屋根断熱構造では、屋根パネル１の断熱材３が連続しており、断熱材３が不連続となる箇所がないため、屋根構造の断熱性が大幅に向上する。
その上、該断熱材３には通気路４が設けられており、該通気路４が軒先と棟部において外気に開放されているので、屋根１９の厚さを厚くすることなく屋根１９の通気性が確保される。
【００１９】
そして、構築される屋根１９に寄棟部１９Ａまたは本谷部１９Ｂが存在する場合、この部分で左右の屋根パネル１の断熱材３をそれぞれ切除し、該左右の屋根パネル１の断熱材３を断熱部材２０Ａ，２０Ｂを介して連続させるとともに、該断熱部材２０Ａ，２０Ｂの下面を左右の垂木６間に介在する隅木２１または谷木２４の上面に当接させ、更に、該断熱材３の通気路４と断熱部材２０Ａ，２０Ｂの通気路２３Ａ，２３Ｂとを連通させることによって、屋根構造の通気性と断熱性を確保することができる。
【００２０】
また、少なくとも該屋根パネル１相互の接続部において、該屋根パネル１の断熱材３と垂木６との接合面にシール材７が介在しているので、屋根構造の水密性が確保される。
【００２１】
更に、該垂木６上に被着された屋根パネル１の断熱材３の下面が軒先部において壁断熱材９の上端に当接し、該断熱材３の下面と該壁断熱材９の上端との間に形成される隙間にはシール材１０ａが充填され、棟部にあっては左右の屋根パネル１の隙間に該屋根パネル１の断熱材３の通気路４を閉塞しないようにしてシール材１０ｂが充填されているので、屋根構造の水密性が確保される。
【００２２】
このとき、該シール材１０ａ，１０ｂが軟質プラスチック発泡体からなる断熱性シール材であるので、屋根構造の断熱性が更に向上する。
【００２３】
以上、本発明の実施の形態を実施例により説明したが、本発明の範囲はこれらに限定されるものではなく、請求項に記載された範囲内において目的に応じて変更・変形することが可能である。
例えば、本実施例では、断熱材３の上面に通気路４を形成するものとして説明したが、本実施例以外、特に図示しないが、断熱材３の中間に通気路４を穿設してもよい。しかし、断熱材３の上面に通気路４を形成したほうが、加工が容易である。
【産業上の利用可能性】
【００２４】
本発明は、通気性が高く、その上、断熱性が高い屋根パネルおよび屋根断熱構造として、産業上利用することが出来る。
【図面の簡単な説明】
【００２５】
【図１】断熱材および野地面材の部分斜視図である。
【図２】野地面材に断熱材を接着した状態を示す断面図である。
【図３】野地面材に分割断熱材を接着した状態を示す断面図である。
【図４】屋根パネルを屋根骨格上に被着した状態を示す部分側断面図である。
【図５】屋根パネルを屋根骨格上に被着した状態を示す部分正断面図である。
【図６】棟部の正断面図である。
【図７】棟換気部材の正面図である。
【図８】寄棟部を有する屋根の説明図である。
【図９】寄棟部用の断熱部材の斜視図である。
【図１０】寄棟部の通気の様子を示す部分斜視図である。
【図１１】図８におけるＡ−Ａ断面図である。
【図１２】本谷部を有する屋根の説明図である。
【図１３】本谷部用の断熱部材の斜視図である。
【図１４】本谷部の通気の様子を示す部分斜視図である。
【図１５】図１２におけるＢ−Ｂ断面図である。
【符号の説明】
【００２６】
１              屋根パネル
２              野地面材
３              断熱材
４              通気路
５，５ａ        垂木嵌合溝
６              垂木
９              壁断熱材
１０ａ，１０ｂ  シール材（断熱性シール材）
１９            屋根
１９Ａ          寄棟部
１９Ｂ          本谷部
２０Ａ，２０Ｂ  断熱部材
２１            隅木
２３Ａ，２３Ｂ  通気路
２４            谷木
【図１】
2006233594.tif 000003
【図２】
2006233594.tif 000004
【図３】
2006233594.tif 000005
【図４】
2006233594.tif 000006
【図５】
2006233594.tif 000007
【図６】
2006233594.tif 000008
【図７】
2006233594.tif 000009
【図８】
2006233594.tif 000010
【図９】
2006233594.tif 000011
【図１０】
2006233594.tif 000012
【図１１】
2006233594.tif 000013
【図１２】
2006233594.tif 000014
【図１３】
2006233594.tif 000015
【図１４】
2006233594.tif 000016
【図１５】
2006233594.tif 000017